(57)【要約】【課題】本発明は、ＲＦＩＤタグをメモリカセットに付着し、ＲＦＩＤタグが付着されたメモリカセットが薬品に接触したり、各種薬品溶解液に浸されるとしても、ＲＦＩＤタグが安定的に動作できるようにする組織検体用メモリカセットのＲＦＩＤタグ付着方法、及びＲＦＩＤタグが付着された組織検体用メモリカセットに関する。【解決手段】本発明に係る組織検体用メモリカセットのＲＦＩＤタグ付着方法は、本体１１０の前面の傾斜面１１１にＲＦＩＤタグ挿入溝１１２が形成された組織検体用メモリカセット１００を成形する段階と、前記本体１１０の傾斜面１１１に形成されたＲＦＩＤタグ挿入溝１１２にＲＦＩＤタグ１３０を挿入する段階と、前記ＲＦＩＤタグ挿入溝１１２にＲＦＩＤタグ１３０が挿入された本体１１０の傾斜面１１１の上部に保護キャップ１１４を重ねた後、超音波融着を通して保護キャップ１１４を本体１１０の傾斜面１１１に結合し、ＲＦＩＤタグ１３０を組織検体用メモリカセット１００の本体１１０に付着する段階とを含んで構成され、ＲＦＩＤタグが付着された組織検体用メモリカセットが化工薬品や薬品が溶解された溶液、水などに浸されるとしても、ＲＦＩＤタグが安定的に動作できるようにする。【選択図】図６
2013528783.tif 000002
【特許請求の範囲】
【請求項１】
人体組織病理検査のための患者組織検体又は実験動・植物研究組織検体用メモリカセットにＲＦＩＤタグを付着する方法において、
（ａ）本体（１１０）の前面の傾斜面（１１１）にＲＦＩＤタグ挿入溝（１１２）が形成された組織検体用メモリカセット（１００）を成形する段階と、
（ｂ）前記本体（１１０）の傾斜面（１１１）に形成されたＲＦＩＤタグ挿入溝（１１２）にＲＦＩＤタグ（１３０）を挿入する段階と、
（ｃ）前記ＲＦＩＤタグ挿入溝（１１２）にＲＦＩＤタグ（１３０）が挿入された本体（１１０）の傾斜面（１１１）の上部に保護キャップ（１１４）を重ねた後、超音波融着を通して保護キャップ（１１４）を本体（１１０）の傾斜面（１１１）に結合し、ＲＦＩＤタグ（１３０）を組織検体用メモリカセット（１００）の本体（１１０）に付着する段階と、
を含んで構成されることを特徴とする組織検体用メモリカセットのＲＦＩＤタグ付着方法。
【請求項２】
前記ＲＦＩＤタグ（１３０）がＲＦＩＤタグ挿入溝（１１２）に挿入された傾斜面（１１１）の上部に保護キャップ（１１４）を結合する超音波融着は、超音波を４５Ｗ〜５０Ｗの電力で０．１秒〜０．５秒間供給しながらホールディングして行われることを特徴とする、請求項１に記載の組織検体用メモリカセットのＲＦＩＤタグ付着方法。
【請求項３】
前記ＲＦＩＤタグ（１３０）が組織検体用メモリカセット（１００）の本体（１１０）の傾斜面（１１１）に付着されると、前記ＲＦＩＤタグ（１３０）が付着された組織検体用メモリカセット（１００）の防水検査を通してＲＦＩＤタグ（１３０）の動作状態を検査する段階がさらに含まれることを特徴とする、請求項１に記載の組織検体用メモリカセットのＲＦＩＤタグ付着方法。
【請求項４】
人体組織病理検査のための患者組織検体又は実験動・植物研究組織検体用メモリカセットにおいて、
前面の傾斜面（１１１）にＲＦＩＤタグ挿入溝（１１２）が形成された本体（１１０）と、
前記本体（１１０）の傾斜面（１１１）に形成されたＲＦＩＤタグ挿入溝（１１２）に挿入されるＲＦＩＤタグ（１３０）と、
前記ＲＦＩＤタグ（１３０）がＲＦＩＤタグ挿入溝（１１２）に挿入された本体（１１０）の傾斜面（１１１）の上部に被せられ、超音波融着を通して本体（１１０）の傾斜面（１１１）に結合され、ＲＦＩＤタグ（１３０）を組織検体用メモリカセットの本体（１１０）に固定する保護キャップ（１１４）と、
前記本体（１１０）の上部に着脱可能に結合される蓋（１２０）と、
を含んで構成されることを特徴とするＲＦＩＤタグが付着された組織検体用メモリカセット。
【請求項５】
前記保護キャップ（１１４）は、超音波が４８Ｗの電力で０．３秒間供給されながらホールディングされる超音波融着を通して組織検体用メモリカセットの本体（１１０）に結合されることを特徴とする、請求項４に記載のＲＦＩＤタグが付着された組織検体用メモリカセット。
【請求項６】
前記ＲＦＩＤタグ（１３０）が付着される本体（１１０）の傾斜面（１１１）の背面には、ＲＦＩＤタグ（１３０）を支持するための支持板（１１３）が形成されることを特徴とする、請求項４に記載のＲＦＩＤタグが付着された組織検体用メモリカセット。
【発明の詳細な説明】
【技術分野】
【０００１】
本発明は、患者の組織検体又は実験用動・植物研究組織検体を取り扱うための装備にＲＦＩＤ（Ｒａｄｉｏ  Ｆｒｅｑｕｅｎｃｙ  ＩＤｅｎｔｉｆｉｃａｔｉｏｎ）タグを付着する方法、及びこのＲＦＩＤタグが付着されたメモリカセットに関する。特に、本発明は、ＲＦＩＤタグをメモリカセットに付着し、ＲＦＩＤタグが付着されたメモリカセットが薬品に接触したり、各種薬品溶解液に浸されるとしても、ＲＦＩＤタグが安定的に動作できるようにする組織検体用メモリカセットのＲＦＩＤタグ付着方法、及びこのＲＦＩＤタグが付着された組織検体用メモリカセットに関する。
【背景技術】
【０００２】
臨床用組織（Ｔｉｓｓｕｅ）検体は、治療や新薬開発において重要な資源として認識されているが、各研究機関や医療機関では、特定疾患に合う組織検体サンプルを本ケースで管理し、病気の原因を診断する重要な資産として活用し、保管した状態でその後の患者病歴を検証している。韓国内の患者の組織検査をしている機関では、前記のように処理した各検体を５年以上義務的に保管しなければならなく、研究及び患者疾患の追跡動向検査などが必要な場合に備えて、これを長期間保管しなければならない。
【０００３】
このような患者の組織検体又は実験用動・植物研究組織検体を取り扱うための装備として、組織病理検査のための医療用組織検体及び実験動・植物研究組織検体用カセットがあるが、このカセットは、組織検体を処理・保管する合成樹脂材質の保管ケースである。
【０００４】
図１は、このような従来の組織検体用カセットの斜視図で、図２は、カセットの蓋の分離斜視図である。
【０００５】
図１と図２に示したように、前記組織検体用カセット１０は、内側に組織検体を入れて処理・保管する本体１１と、前記本体１１の上部に着脱可能に結合される蓋１２とを含んで構成されるが、前記本体１１及び蓋１２には、空気が通過する多数の長方形状の通気孔が形成される。また、前記本体１１の前面には傾斜面１１ａが形成されるが、この傾斜面１１ａには、内側に保管される組織検体の識別情報が記録される。
【０００６】
前記のように構成されるカセット１０には病理検査のための組織検体が入って保管され、組織検体が保管されるカセット１０の傾斜面１１ａには組織検体情報を示す識別情報が記録され、この識別情報は、カセット１０に保管された組織検体情報を把握するのに用いられる。
【０００７】
前記組織検体情報を示すために識別情報をカセットに記録する過程は、通常、手作業又はカセットプリンターを通して行われるが、このような組織検体識別情報をカセットに記録する過程で保管される組織検体情報と識別情報とをマッチングして確認する過程が必要であるので、時間が多くかかるという問題があった。
また、検査が完了したカセットを保管した後、後で該当の組織検体を再検査したり、サンプル組織検体を活用しようとする場合、該当のカセットに記載された識別情報を一々保管ボックスで検索して確認しながら該当のカセットを把握しなければならないので、位置追跡及び情報把握に多くの時間がかかり、管理が難しいという問題があった。その結果、カセットに保管された組織検体情報をより迅速かつ容易に確認して管理できるようにする方案が要求されている。
【発明の概要】
【発明が解決しようとする課題】
【０００８】
本発明は、上述した従来技術の問題を解決するために提案されたもので、本発明の目的は、組織検体情報が登録されたＲＦＩＤタグを組織検体用カセットに付着してメモリカセットを製作することによって、ＲＦＩＤタグリーダー機を通してＲＦＩＤタグ情報を識別できるようにし、ＲＦＩＤタグが付着されたメモリカセットが薬品に接触したり、薬品溶解液に浸されるとしても、ＲＦＩＤタグが安定的に動作できるようにする組織検体用メモリカセットのＲＦＩＤタグ付着方法、及びこのＲＦＩＤタグが付着された組織検体用メモリカセットを提供することにある。
【課題を解決するための手段】
【０００９】
前記目的を達成するための本発明に係る組織検体用メモリカセットのＲＦＩＤタグ付着方法は、人体組織病理検査のための患者組織検体又は実験動・植物研究組織検体用メモリカセットにＲＦＩＤタグを付着する方法において、本体の前面の傾斜面にＲＦＩＤタグ挿入溝が形成された組織検体用メモリカセットを成形する段階と、前記本体の傾斜面に形成されたＲＦＩＤタグ挿入溝にＲＦＩＤタグを挿入する段階と、前記ＲＦＩＤタグ挿入溝にＲＦＩＤタグが挿入された本体の傾斜面の上部に保護キャップを重ねた後、超音波融着を通して保護キャップを本体の傾斜面に結合し、ＲＦＩＤタグを組織検体用メモリカセットの本体に付着する段階とを含んで構成される。
【００１０】
前記ＲＦＩＤタグがＲＦＩＤタグ挿入溝に挿入された傾斜面の上部に保護キャップを結合する超音波融着は、超音波を４５Ｗ〜５０Ｗの電力で０．１秒〜０．５秒間供給しながらホールディングして行われる。
【００１１】
また、前記ＲＦＩＤタグが組織検体用メモリカセットの本体の傾斜面に付着されると、前記ＲＦＩＤタグが付着された組織検体用メモリカセットの防水検査を通してＲＦＩＤタグの動作状態を検査する段階がさらに含まれることが望ましい。
【００１２】
一方、前記目的を達成するための本発明に係るＲＦＩＤタグが付着された組織検体用メモリカセットは、前面の傾斜面にＲＦＩＤタグ挿入溝が形成された本体と、前記本体の傾斜面に形成されたＲＦＩＤタグ挿入溝に挿入されるＲＦＩＤタグと、前記ＲＦＩＤタグがＲＦＩＤタグ挿入溝に挿入された本体の傾斜面の上部に被せられた後、超音波融着を通して本体の傾斜面に結合され、ＲＦＩＤタグを組織検体用メモリカセットの本体に固定する保護キャップと、前記本体の上部に着脱可能に結合される蓋とを含んで構成される。
【００１３】
前記保護キャップは、超音波が４８Ｗの電力で０．３秒間供給されながらホールディングされる超音波融着を通して組織検体用メモリカセットの本体に結合されるが、前記ＲＦＩＤタグが付着される本体の傾斜面の背面にはＲＦＩＤタグを支持するための支持板が形成される。
【発明の効果】
【００１４】
本発明に係る組織検体用メモリカセットのＲＦＩＤタグ付着方法及びＲＦＩＤタグが付着された組織検体用メモリカセットは、メモリカセットの傾斜面の内側にＲＦＩＤタグを挿入し、傾斜面の上部に超音波融着を通して保護キャップを結合し、ＲＦＩＤタグをメモリカセットの内側に付着することによって、メモリカセットが各種化工薬品や薬品が溶解された溶液、水などに浸されるとしても、ＲＦＩＤタグが安定的に動作することができ、メモリカセットに付着されたＲＦＩＤタグ情報をＲＦＩＤタグリーダー機を通して識別することによって、メモリカセットに保管された組織検体情報を迅速かつ容易に把握し、これを業務に適用して利用することによってより正確な資料管理を行えるという効果を有する。
【図面の簡単な説明】
【００１５】
【図１】従来の組織検体用カセットの斜視図である。
【図２】従来の組織検体用カセットの蓋の分離斜視図である。
【図３】本発明に係るＲＦＩＤタグが付着された組織検体用メモリカセットの斜視図である。
【図４】本発明に係るＲＦＩＤタグが付着された組織検体用メモリカセットの蓋の分離背面斜視図である。
【図５】本発明に係るＲＦＩＤタグが付着された組織検体用メモリカセットの側断面図である。
【図６】本発明に係る組織検体用メモリカセットの分解斜視図である。
【図７】本発明によって組織検体用メモリカセットにＲＦＩＤタグが付着される過程を示したフローチャートである。
【図８】本発明によって成形される組織検体用メモリカセットの斜視図である。
【発明を実施するための形態】
【００１６】
以下、添付の図面を参照して本発明の望ましい実施例を詳細に説明する。
【００１７】
図３は、本発明の実施例に係るＲＦＩＤタグが付着された組織検体用メモリカセットの斜視図で、図４は、ＲＦＩＤタグが付着された組織検体用メモリカセットの蓋の分離背面斜視図で、図５は、ＲＦＩＤタグが付着された組織検体用メモリカセットの側断面図で、図６は、ＲＦＩＤタグが付着された組織検体用メモリカセットの分解斜視図である。
【００１８】
図３〜図６に示したように、本発明に係る組織検体用メモリカセット１００は、通常の組織検体用カセットと同様に、内側に組織検体を入れて保管する上部が開放された本体１１０と、前記本体１１０の上部に着脱可能に結合される蓋１２０とを含んで構成される。
【００１９】
前記本体１１０の下部及び蓋１２０には、空気が通過する多数の通気孔が形成されているが、本発明の実施例では、前記本体１１０の下部及び蓋１２０の通気孔を中央を中心に放射状に形成し、内側に保管される組織検体が外部に容易に離脱することを防止し、視覚的効果を得られるようにした。
【００２０】
前記本体１１０の前面には上部に傾斜した傾斜面１１１が形成され、この傾斜面１１１の後面の本体１１０の内側には、蓋１２０の前面に形成された結合突起１２５が挿入されて結合される蓋結合溝１１５が形成され、本体１１０の後面には、蓋１２０の後面に形成された係止突起１２６が着脱可能に係止されて固定される蓋係止溝１１６が形成される。
【００２１】
一方、前記本体１１０の前面に形成された傾斜面１１１の内側には、ＲＦＩＤタグ１３０が挿入されるＲＦＩＤタグ挿入溝１１２が形成されるが、この本体１１０の傾斜面１１１に形成されたＲＦＩＤタグ挿入溝１１２にＲＦＩＤタグ１３０が挿入された後、平板状の保護キャップ１１４が本体１１０の傾斜面１１１の上部に結合され、ＲＦＩＤタグ１３０がメモリカセット１００の本体１１０に結合される。
【００２２】
前記ＲＦＩＤタグ１３０が保護キャップ１１４によって本体１１０の傾斜面１１１に形成されたＲＦＩＤタグ挿入溝１１２に結合されるとき、ＲＦＩＤタグ１３０の損傷をもたらしてはならず、結合後の使用時における動作に異常があってはならない。特に、組織検体用メモリカセット１００が薬品処理などの過程を経て使用されるので、メモリカセット１００に結合されたＲＦＩＤタグ１３０は、化工薬品や薬品が溶解された溶液、水中でも長時間異常なく動作すべきであり、ＲＦＩＤタグ１３０のメモリカセット１００の付着方法は非常に重要である。
【００２３】
本発明の実施例では、前記ＲＦＩＤタグ１３０を本体１１０の傾斜面１１１のＲＦＩＤタグ挿入溝１１２に挿入した後、ＲＦＩＤタグ１３０が挿入された傾斜面１１１の上部に保護キャップ１１４を重ね、この保護キャップ１１４を超音波融着を通して傾斜面１１１に結合する。すなわち、本体１１０の傾斜面１１１に形成されたＲＦＩＤタグ挿入溝１１２にＲＦＩＤタグ１３０を挿入した後、ＲＦＩＤタグ１３０が挿入された傾斜面１１１の上部に保護キャップ１１４を重ね、この保護キャップ１１４に超音波を一定時間加えながらホールディングして本体１１０の傾斜面１１１に保護キャップ１１４を結合することによって、本体１１０の傾斜面１１１及び保護キャップ１１４の内側に位置するＲＦＩＤタグ挿入溝１１２にＲＦＩＤタグ１３０を安定的に付着できるようにする。
本発明の実施例で、前記保護キャップ１１４を傾斜面１１１の上部に結合する超音波融着は、超音波を４５Ｗ〜５０Ｗの電力で０．１秒〜０．５秒間、より望ましくは、４８Ｗの電力で０．３秒間供給しながらホールディングして行い、このような条件で超音波融着が行われると、保護キャップ１１４が傾斜面１１１に安定的に結合され、内側のＲＦＩＤタグ１３０が傾斜面１１１の内側に付着されて安定的に動作するようになる。
【００２４】
一方、本体１１０の傾斜面１１１の背面中央には、ＲＦＩＤタグ挿入溝１１２に挿入されたＲＦＩＤタグ１３０を安定的に支持するための支持板１１３が形成されるが、この支持板１１３は、傾斜面１１１の背面中央を厚く形成し、ＲＦＩＤタグ挿入溝１１２に挿入されたＲＦＩＤタグ１３０が超音波融着時に加えられる圧力によって後方に押されたり曲がって変形することを防止する役割をする。
【００２５】
以下、前記のように構成されるＲＦＩＤタグが付着された組織検体用メモリカセットの製作過程について説明する。
【００２６】
図７は、本発明の実施例によって組織検体用メモリカセットにＲＦＩＤタグが付着される過程を示したフローチャートである。
【００２７】
段階Ｓ１１０：まず、ＲＦＩＤタグ１３０の付着のために本体１１０の傾斜面１１１にＲＦＩＤタグ挿入溝１１２が形成された組織検体用メモリカセット１００の本体１１０及び蓋１２０を成形する。前記組織検体用メモリカセット１００の最初の製作時に本体１１０及び蓋１２０が一体に成形されるが、図８は、本発明の実施例によって成形される組織検体用メモリカセットの斜視図である。図８に示したように、組織検体用メモリカセット１００の本体１１０と蓋１２０を一体に製作し、使用時には本体１１０から蓋１２０を分離した後、蓋１２０を本体１１０に結合して使用する。本発明の実施例において、前記組織検体用メモリカセット１００の本体１１０は、横縦２８ｍｍ×４ｍｍ、高さ７ｍｍに成形されるが、このような組織検体用メモリカセット１００の製作過程は従来の射出成形方法に従うようになる。
【００２８】
段階Ｓ１２０：組織検体用メモリカセット１００が成形されると、本体１１０にＲＦＩＤタグ１３０を付着するために、本体１１０の傾斜面１１１に形成されたＲＦＩＤタグ挿入溝１１２にＲＦＩＤタグ１３０を挿入する。本発明の実施例に適用された前記ＲＦＩＤタグ１３０は、使用周波数範囲８４０〜９６０ＭＨｚ、記憶容量５１２ビット、プロトコルＩＳＯ１８０００―６Ｃ  ＧＥＮ２を使用し、認識距離が固定型である場合は３０cmの距離を有し、ハンド型である場合は５〜１０cmの距離を有するＲＦＩＤタグであって、このようなＲＦＩＤタグとしては、Ａｌｉｅｎ社のヒックス３又はフィリップ社のＮＸＰモデルなどがある。
【００２９】
段階Ｓ１３０、Ｓ１４０：前記ＲＦＩＤタグ１３０がＲＦＩＤタグ挿入溝１１２に挿入された傾斜面１１１の上部に平板状の保護キャップ１１４を重ねた後（Ｓ１３０）、前記保護キャップ１１４を傾斜面１１１に密着させてホールディングしながら超音波を加え、傾斜面１１１に保護キャップ１１４を融着・結合する（Ｓ１４０）。本発明の実施例において、本体１１０の傾斜面１１１に重ねられた保護キャップ１１４に加えられる超音波は、ＲＦＩＤタグ１３０の破損防止及び安定的な融着を考慮して、電力出力４５Ｗ〜５０Ｗ、ホールディング時間０．１秒〜０．５秒の条件、より望ましくは、電力出力４８Ｗ、ホールディング時間０．３秒の条件で行われる。
【００３０】
段階Ｓ１５０：前記過程を通して保護キャップ１１４が本体１１０の傾斜面１１１に結合されると、保護キャップ１１４によってＲＦＩＤタグ挿入溝１１２に結合されたＲＦＩＤタグ１３０が正常に動作するかどうかを検査する。ＲＦＩＤタグ１３０の検査は、ＲＦＩＤタグリーダー機を通してＲＦＩＤタグ１３０が正常に認識されるかどうかを検査した後、薬品溶解液の水中沈澱を通して防水検査を行い、正常に認識されるかどうかを検査する。本発明の実施例では、ＲＦＩＤタグ１３０が付着された組織検体用メモリカセット１００をホルマリンとザイレン溶液中で４時間以上沈澱させた後、正常に動作するかどうかを検査し、異常の有無を判断した。
【００３１】
段階Ｓ１６０：検査の結果、ＲＦＩＤタグ１３０が正常に動作すると判断されると、ＲＦＩＤタグ１３０が付着された組織検体用メモリカセット１００は包装・出荷されることによって現場で用いられるようになる。
【００３２】
前記の過程を通して製作されたＲＦＩＤタグ１３０が付着されたメモリカセット１００においては、超音波融着を通してメモリカセット１００にＲＦＩＤタグ１３０が安定的に付着されるので、化工薬品や薬品が溶解された溶液、水中に露出する場合に正常に動作することができ、その結果、メモリカセット１００に保管された組織検体の管理を有用に行うことができる。
【００３３】
前記メモリカセット１００のＲＦＩＤタグ１３０に登録された情報は、メモリカセット１００に保管される組織検体情報と連動してデータベースサーバーに登録・管理されることによって、後で前記組織検体情報を検索したり、組織検体を再検査又は再活用しようとする場合、組織検体関連情報を迅速かつ正確に把握できるようになる。
すなわち、ＲＦＩＤタグリーダー機を通してメモリカセット１００に付着されたＲＦＩＤタグ１３０情報を識別し、該当の組織検体の情報を確認できるようになるが、前記メモリカセット１００のＲＦＩＤタグ１３０情報を確認するとき、これと関連した組織検体の詳細情報を共に確認することによって、管理者は組織検体情報を迅速かつ正確に把握できるようになる。また、メモリカセット１００の保管位置情報を該当の組織検体情報と連動させて管理することによって、メモリカセット１００の保管位置を容易に把握できるようになる。
【００３４】
このように、本発明に係るＲＦＩＤタグ１３０が付着されたメモリカセット１００は、メモリカセット１００に保管される組織検体の管理を迅速かつ容易に行えるようにするもので、本発明は、上述した実施例に限定されるものではなく、本発明の属する技術分野で通常の知識を有する者によって本発明の技術思想と下記に記載する特許請求の範囲の均等範囲内で多様な修正及び変形が可能であることは当然である。
【００３５】
本発明に係るＲＦＩＤタグが付着された組織検体用メモリカセットは、組織検体用メモリカセットの傾斜面の内側にＲＦＩＤタグが安定的に結合され、ＲＦＩＤタグリーダー機を通してＲＦＩＤタグに格納された組織検体情報を迅速かつ容易に識別することができ、患者の組織検体を保管する研究機関や医療機関で従来のメモリカセットに取って代わるものとして大いに活用できると期待される。
【図１】
2013528783.tif 000003
【図２】
2013528783.tif 000004
【図３】
2013528783.tif 000005
【図４】
2013528783.tif 000006
【図５】
2013528783.tif 000007
【図６】
2013528783.tif 000008
【図７】
2013528783.tif 000009
【図８】
2013528783.tif 000010
【国際調査報告】
2013528783.tif 000011
2013528783.tif 000012
2013528783.tif 000013
2013528783.tif 000014